(57)【要約】【課題】流れる電流の大きさに応じて、複数の接点を設けて、流れる電流の大きさに応じて、接点の切り替えを可能とする構成を有したイグニッションスイッチを提供する。【解決手段】円形の中心部とその外周部とに設けられた固定接点部と、円形の中心を基準に回動する可動接点部とからなる接点機構を有するイグニッションスイッチであって、外周部に設けられた固定接点部が、円周方向に離間した複数の接点部を備える。【選択図】図３
2015103495.tif 000002
【特許請求の範囲】
【請求項１】
円形の中心部とその外周部とに設けられた固定接点部と、前記円形の中心を基準に回動する可動接点部とからなる接点機構を有するイグニッションスイッチであって、
前記外周部に設けられた固定接点部が、円周方向に離間した複数の接点部を備えることを特徴とするイグニッションスイッチ。
【請求項２】
前記複数の接点部の面積が流れる電流の大きさに応じて半径方向の幅面積を広くしたことを特徴とする請求項１に記載のイグニッションスイッチ。
【請求項３】
前記円形の中心部の固定接点部の接点と前記複数の接点部の接点との高低差を形成し、流れる電流の大きさに応じて、可動接点部の固定接点部に対する接圧が大きくなるように形成されていることを特徴とする請求項１または請求項２に記載のイグニッションスイッチ。
【発明の詳細な説明】
【技術分野】
【０００１】
本発明は、イグニッションスイッチに関し、特に、流れる電流の大きさに応じて、複数の接点を設けて、流れる電流の大きさに応じて、接点の切り替えを可能とする構成を有したイグニッションスイッチに関する。
【背景技術】
【０００２】
イグニッションスイッチは、キーの回転操作がスイッチに伝達され、車両の電源切り替えやエンジンスタートに用いられており、固定接点群が配設される固定接点基盤と、固定接点群と対向して回転接触する可動接点が配設される回転子と、可動接点及び回転子を覆うようにして、固定接点基盤に被着される筒状のハウジングとを有する構造になっている（例えば、特許文献１参照。）。
【０００３】
この種のイグニッションスイッチは、従来、大電流の切り替えを行なうため、高接圧で銅材を用いた接点構造を有するのが一般的である。また、近年、車両制御システムの機能の変化に伴って、イグニッションスイッチの機能として、従来のように、大電流の切り替えのみを行なうのではなく、小電流の切り替えも行なうことが望まれている。
【先行技術文献】
【特許文献】
【０００４】
【特許文献１】特開平９−２０９８８８号公報
【発明の概要】
【発明が解決しようとする課題】
【０００５】
ここで、数ｍＡレベルの小電流の切り替えに用いられるスイッチは、接点の酸化防止等の目的で、めっき処理を行なう必要がある。ところが、めっき処理を行なっても、大電流接点からの切り替え時にアークが発生し、めっきが剥がれてしまうという問題がある。
【０００６】
また、大電流接点では、接点荷重を大きくする必要があり、そのため、大電流接点と小電流接点とでは、接点荷重を変化させる必要があるという課題もある。さらに、車両のエンジンを始動する機能を担うため、接点には、高い耐久性が要求されるが、大電流時の高接点荷重では、耐久劣化によって、めっきが剥がれてしまうという問題もあった。
【０００７】
そこで、本発明は、上述の課題に鑑みて、流れる電流の大きさに応じて、複数の接点を設けて、流れる電流の大きさに応じて、接点の切り替えを可能とする構成を有したイグニッションスイッチを提供することを目的とする。
【課題を解決するための手段】
【０００８】
本発明は、上記の課題を解決するために、以下の事項を提案している。
【０００９】
（１）本発明は、円形の中心部とその外周部とに設けられた固定接点部と、前記円形の中心を基準に回動する可動接点部とからなる接点機構を有するイグニッションスイッチであって、前記外周部に設けられた固定接点部が、円周方向に離間した複数の接点部を備えることを特徴とするイグニッションスイッチを提案している。
【００１０】
この発明によれば、外周部に設けられた固定接点部が、円周方向に離間した複数の接点部を備えるため、切り替える電流の大きさに応じて、個別に接点を選択することにより、めっき剥がれ等の問題に対応することができる。
【００１１】
（２）本発明は、（１）のイグニッションスイッチについて、前記複数の接点部の半径方向の幅面積を流れる電流の大きさに応じて広くしたことを特徴とするイグニッションスイッチを提案している。
【００１２】
この発明によれば、複数の接点部の面積が流れる電流の大きさに応じて半径方向の面積を広くすることにより、高い耐久性の要求に寄与した設計が可能となる。
【００１３】
（３）本発明は、（１）または（２）のイグニッションスイッチについて、前記円形の中心部の固定接点部の接点と前記複数の接点部の接点との高低差を形成し、流れる電流の大きさに応じて、可動接点部の固定接点部に対する接圧が大きくなるように形成されていることを特徴とするイグニッションスイッチを提案している。
【００１４】
この発明によれば、円形の中心部の固定接点部の接点と複数の接点部の接点との高低差を形成し、流れる電流の大きさに応じて、可動接点部の固定接点部に対する接圧が大きくなるように形成されている。すなわち、切り替える電流が大きいほど、円形の中心部の固定接点部の接点との高低差が大きくなるため、可動接点部の固定接点部に対する接圧が高くすることができ、切り替える電流の大きさに応じた接点荷重を実現することができる。
【発明の効果】
【００１５】
本発明によれば、外周部に設けられた固定接点部が、円周方向に離間した複数の接点部を備えるため、切り替える電流の大きさに応じて、個別に接点を選択することにより、めっき剥がれ等の問題に対応することができるという効果がある。
【００１６】
また、複数の接点部の面積が流れる電流の大きさに応じて半径方向の幅面積を広くすることにより、高い耐久性の要求に寄与した設計が可能となるという効果がある。
【００１７】
さらに、円形の中心部の固定接点部の接点と複数の接点部の接点との高低差を形成し、、流れる電流の大きさに応じて、可動接点部の固定接点部に対する接圧が大きくなるように形成されている。すなわち、切り替える電流が大きいほど、円形の中心部の固定接点部の接点との高低差が大きくなるため、可動接点部の固定接点部に対する接圧を大きくすることができ、切り替える電流の大きさに応じた接点荷重を実現することができる。
【図面の簡単な説明】
【００１８】
【図１】本発明の実施形態に係るイグニッションスイッチの分解図である。
【図２】本発明の実施形態に係る大電流切り替え時の接点機構部のＡ−Ａ断面図である。
【図３】本発明の実施形態に係る大電流切り替え時の接点機構部を上部から見た透視図である。
【図４】本発明の実施形態に係る小電流用固定接点部と大電流用固定接点部の断面図である。
【図５】本発明の実施形態に係る小電流切り替え時の接点機構部のＢ−Ｂ断面図である。
【図６】本発明の実施形態に係る小電流切り替え時の接点機構部を上部から見た透視図である。
【発明を実施するための形態】
【００１９】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２０】
図１から図６を用いて、本発明の実施形態に係るイグニッションスイッチについて説明する。なお、本実施形態では、２つの切替用の固定接点部を設けた場合を例示して説明するが、固定接点部が２以上の場合も以下の記載に基づけば、実現可能である。
【００２１】
＜イグニッションスイッチの主要構成＞
図１に示すように、本発明の実施形態に係るイグニッションスイッチは、概略、ターミナルベースＡｓｓｙ１０と、コンタクトプレート２０と、コンタクトスプリング３０と、ロータ４０と、スチールボール５０と、アクションスプリング６０と、リターンスプリング７０と、スイッチケース８０とから構成されている。
【００２２】
ターミナルベースＡｓｓｙ１０は、例えば、図３に示すように、円形の中心部に設けられ、常時、可動接点部と接触する第１の固定接点部１１と、その外周部に設けられ、円周方向に離間して配置された第２の固定接点部１２、第３の固定接点部１３とを備えている。つまり、第２の固定接点部１２と第３の固定接点部１３とが、円周方向に離間して配置されているため、切り替える電流の大きさに応じて、個別に接点を選択することにより、めっき剥がれ等の問題に対応することができる。
【００２３】
コンタクトプレート２０は、可動接点部を形成する部材であり、ターミナルベースＡｓｓｙ１０の円形の中心を基準に回動する。コンタクトプレート２０は、ターミナルベースＡｓｓｙ１０と、ロータ４０との間に配置されるコンタクトスプリング３０により、第１の固定接点部１１に弾圧的に常時接触し、回動を伴って、第２の固定接点部１２あるいは第３の固定接点部１３と弾圧的に接触する。
【００２４】
ロータ４０は、ターミナルベースＡｓｓｙ１０に対して可動可能に支持されており、ターミナルベースＡｓｓｙ１０と後述するスイッチケース８０により回転可能となるように軸支されている。
【００２５】
このロータ４０には、このロータ４０を回動させる図示しないイグニッションキーが挿入されるキーシリンダ（図示せず）が接続可能なキー穴４０ａが設けられている。
【００２６】
また、このロータ４０の周面の直径方向２箇所には、このロータ４０の回転時において、後述するスイッチケース８０の内周壁に形成された図示しない複数の突起と協動してクリック感を生じせしめるためのボール５０が、ボール配設用有底穴４０ｂ内に、スプリング６０によって弾圧的に配置されている。
【００２７】
リターンスプリング７０は、ロータ４０をＳＴＡＲＴ位置からＯＮ位置まで復元せしめるためのスプリングである。スイッチケース８０は、ロータ４０を覆うようにして、ターミナルベースＡｓｓｙ１０に被着される。
【００２８】
この様に構成されたイグニッションスイッチでは、イグニッションキーが挿入されたキーシリンダの後端部がキー穴４０ａに挿入されて、ロータ４０がキーシリンダと一体的に回動されることにより、ＬＯＣＫ位置、ＡＣＣ位置、ＯＮ位置、及びＳＴＡＲＴ位置の各々において、可動接点部が、第２の固定接点部１２、第３の固定接点部１３に対して各々当接して、所定の電気的導通が行われるように構成されている。本実施形態では、ＬＯＣＫ位置、ＡＣＣ位置、ＯＮ位置までが第２の固定接点部１２、ＳＴＡＲＴ位置が第３の固定接点部１３で電気的導通が行われるように構成されている。
【００２９】
また、スチールボール５０は、スイッチケース８０の内周壁に形成された複数の突起を乗り越えたときにクリック感を生じ、ＬＯＣＫ位置、ＡＣＣ位置、ＯＮ位置、及びＳＴＡＲＴ位置を操作者が感知できるように構成されている。
【００３０】
＜固定接点部の構成と作用＞
図２は、大電流切り替え時の接点機構部のＡ−Ａ断面図であり、図３は、大電流切り替え時の接点機構部を上部から見た透視図であり、図４は、小電流用固定接点部と大電流用固定接点部の断面図である。
【００３１】
図２に示すように、コンタクトプレート（可動接点）２０が、常時接触する第１の固定接点部１１と第２の固定接点部１２にコンタクトスプリング３０により、弾圧的に接触している様子を示している。すなわち、図２は、コンタクトプレート（可動接点）２０が、時計回りに回動し、図３に示すような位置関係になった場合を示している。
【００３２】
ここで、第２の固定接点部１２は、大電流用接点であり、第３の固定接点部１３は、小電流用接点であって、第２の固定接点部１２、第３の固定接点部１３の半径方向の幅面積は、図３に示すように、流れる電流の大きさに応じて広く形成されている。これにより、高い耐久性の要求に寄与した設計が可能となる。
【００３３】
また、第１の固定接点部１１、第２の固定接点部１２、第３の固定接点部１３の高さは、図４に示すように、流れる電流の大きさに応じて、コンタクトプレート２０の固定接点部１２，１３に対する接圧が高くなるように形成されている。すなわち、切り替える電流が大きいほど、円形の中心部の固定接点部の接点との高低差が大きくなるため、図２に示すように、コンタクトプレート２０のコンタクトスプリング３０を変えることなくそのままで接圧を高くすることができ、切り替える電流の大きさに応じた接点荷重を簡単な構成で実現することができる。
【００３４】
さらに、図２に示すように第２の固定接点１２にコンタクトプレート２０が接触しているときには、後述する図５において第３の固定接点１３と接触する接点面２０ａが空中に浮いた状態となっている。これにより、第３の固定接点１３とコンタクトプレート２０の接点面２０ｂが接触している間は、接点面２０ａの磨耗を防止することができる。
【００３５】
図５は、小電流切り替え時の接点機構部のＢ−Ｂ断面図であり、図６は、小電流切り替え時の接点機構部を上部から見た透視図であり、図４は、小電流用固定接点部と大電流用固定接点部の断面図である。
【００３６】
図５に示すように、コンタクトプレート（可動接点）２０が、常時接触する第１の固定接点部１１と第２の固定接点部１２にコンタクトスプリング３０により、弾圧的に接触している様子を示している。すなわち、図５は、コンタクトプレート（可動接点）２０が、時計回りに回動し、図６に示すような位置関係になった場合を示している。
【００３７】
ここで、第２の固定接点部１２は、大電流用接点であり、第３の固定接点部１３は、小電流用接点であって、第２の固定接点部１２、第３の固定接点部１３の半径方向の幅面積は、図６に示すように、流れる電流の大きさに応じて広く形成されている。これにより、高い耐久性の要求に寄与した設計が可能となる。
【００３８】
また、第１の固定接点部１１、第２の固定接点部１２、第３の固定接点部１３の高さは、図４に示すように、流れる電流の大きさに応じて高さが高くなるように形成されている。すなわち、切り替える電流が大きいほど、円形の中心部の固定接点部の接点との高低差が大きくなるため、同一のコンタクトスプリング３０のままで固定接点部と可動接点部との間の接圧を高くすることができ、図５に示すように、切り替える電流の大きさに応じた接点荷重を簡単な構成で実現することができる。
【００３９】
以上、この発明の実施形態につき、図面を参照して詳述してきたが、具体的な構成はこの実施形態に限られるものではなく、この発明の要旨を逸脱しない範囲の設計等も含まれる。例えば、本実施形態においては、２つの切替用の固定接点部を設けた場合を例示して説明したが、切替用の固定接点部が２以上であってもよい。
【符号の説明】
【００４０】
１０；ターミナルベースＡｓｓｙ
１１；第１の固定接点部
１２；第２の固定接点部
１３；第３の固定接点部
２０；コンタクトプレート
３０；コンタクトスプリング
４０；ロータ
４０ａ：キー穴
４０ｂ；ボール配設用有底穴
５０；スチールボール
６０；アクションスプリング
７０；リターンスプリング
８０；スイッチケース
【図１】
2015103495.tif 000003
【図２】
2015103495.tif 000004
【図３】
2015103495.tif 000005
【図４】
2015103495.tif 000006
【図５】
2015103495.tif 000007
【図６】
2015103495.tif 000008